(57)【要約】【課題】本発明は各種映像音響機器や情報通信機器として使用される携帯電話やゲーム機器等の携帯用電子機器に関するものであり、携帯用電子機器の信頼性や品質の向上化が課題であった。【解決手段】本発明は、電子部品のターミナル３０のストッパーを、携帯用電子機器に搭載されている電子回路４０の一部で形成するとともに、このストッパーを高さ調整し、ターミナル３０の折り曲げ範囲を制御する構成とすることにより、強い衝撃耐性を有し、外力からストッパーを強化し、ターミナルの金属端子のバネ圧の可逆限界値を超えてしまうことなく、常時、強いバネ圧を維持することができる構成としたものである。【選択図】図１
2005333421.tif 000002
【特許請求の範囲】
【請求項１】
導電性の金属材料から形成されたバネ端子を有する電子部品と、このバネ端子のバネ圧を利用して接触給電させる給電部を有する電子回路を搭載した携帯用電子機器であって、前記電子回路には前記電子部品のバネ端子のバネ圧の可逆限界値を超えない範囲に高さ設定されたストッパーを有した携帯用電子機器。
【請求項２】
電子部品は、電気音響変換器である請求項１記載の携帯用電子機器。
【請求項３】
ストッパーの受け部は、バネ端子を有する電子部品自体である請求項１または請求項２記載の携帯用電子機器。
【請求項４】
ストッパーの受け部は、電気音響変換器のフレームである請求項２記載の携帯用電子機器。
【請求項５】
ストッパーの受け部は、電気音響変換器の磁気回路である請求項２記載の携帯用電子機器。
【請求項６】
ストッパーの受け部は、電子部品以外の構成部品である請求項１または請求項２記載の携帯用電子機器。
【請求項７】
ストッパーは、電子回路に搭載されたバネ端子を有する電子部品以外の電子部品で代用された請求項１から請求項６のいずれか１つに記載の携帯用電子機器。
【請求項８】
ストッパーは、補強リブを設けた請求項１から請求項７のいずれか１つに記載の携帯用電子機器。
【発明の詳細な説明】
【技術分野】
【０００１】
本発明は各種映像音響機器や情報通信機器として使用される携帯電話やゲーム機器等の携帯用電子機器に関するものである。
【背景技術】
【０００２】
従来の技術を図４および図５により説明する。図４および図５は、携帯電話等の携帯用電子機器の要部断面図であり、電子部品や電子回路を搭載した状態の要部断面図である。
【０００３】
この携帯用電子機器に搭載される電子部品としては、電気音響変換器であるスピーカやレシーバを例に挙げて説明する。図４は、電気音響変換器を携帯電話等の電子機器に搭載した状態の断面図であり、ターミナル３０がある程度曲げられて、携帯用電子機器側の給電部に適正なバネ圧がかかった状態を示したものである。
【０００４】
図４に示すように、この携帯電話の構成としては、スピーカ３５と、電子部品５０を搭載した電子回路４０と、液晶等の表示モジュール６０等の各部品やモジュール等を外装ケース７０の内部に搭載して携帯電話８０の要部を構成している。
【０００５】
そして、スピーカ３５のターミナル３０と電子回路４０とをバネ圧をかけながら接触給電させてスピーカ３５を動作させている。
【０００６】
ここで、このターミナル３０は、導電性を有する一枚のシート状の金属板を折り曲げ加工して、この金属板のバネ圧を利用して電子回路４０の給電部と接触させる構成としている。そして、この金属板の折り曲げが金属材料の可逆限界値を超えない範囲で、ターミナル３０のシート状の金属板の最終端を内側に折り曲げ加工してストッパー３０ａを構成することで、折り曲げ範囲を制御している。
【０００７】
図５は、図４に示すターミナル３０の状態を示した断面図であり、携帯電話の落下衝撃等の外的要因により、図４のターミナル３０が、電子機器側の給電部に押されて変形し、下死点に達した状態から、さらに過大な力が加わり、ストッパー３０ａが変形して潰れた状態である。この場合、ストッパー３０ａは、金属材料の可逆限界値を超えて変形しており、一度衝撃を受けると、加圧力がなくなっても元の状態に戻ることはない。
【０００８】
以上のように、スピーカ３５を携帯電話８０に取り付ける時に、スピーカ３５の押さえ込み寸法を大きく設定したり、携帯電話８０を誤って落下させ、ターミナル３０に過大な衝撃力が加わると、ストッパー３０ａが潰れてしまうことにより、ターミナル３０が永久変形を来してしまう。よって、ターミナル３０の金属端子のバネ圧の可逆限界値を超えてしまい、ターミナル３０のバネ圧が減少してしまう。
【０００９】
このため、ターミナル３０は常時、強いバネ圧を維持することができず、携帯電話８０の電子回路４０の給電部との接触結合が不安定になり、携帯電話８０に衝撃がかかったり振動したりした時に、接触不良を発生して、信号がとぎれてしまう。
【００１０】
なお、この出願の発明に関連する先行技術文献情報としては、例えば、特許文献１および特許文献２が知られている。
【特許文献１】特開２００３−３７８９０号公報
【特許文献２】特開平１１−２５９４６号公報
【発明の開示】
【発明が解決しようとする課題】
【００１１】
携帯電話やゲーム機器、ナビゲーション機器等の携帯用電子機器は、最近、特に小型化、コンパクト化が図られ、その販売数量も年々増大してきている。
【００１２】
以上のような市場背景では、上記携帯用電子機器の取り扱いも、乱暴に扱われるケースも増えてきている。また、故意に乱暴に扱わないまでも、携帯用電子機器を誤って落下させてしまったり、かばん等に入れて持ち運んだり、自動車内等での放置時に大きな衝撃力が加わり、携帯用電子機器に大きなダメージを受けることが多々ある。よって、前述のような使用環境を想定して、携帯用電子機器の信頼性の向上が市場より強く要請されている。
【００１３】
以上の背景をもとに、従来の課題について説明する。従来のこの種の携帯用電子機器に搭載された電子部品である電気音響変換器のスピーカやレシーバは、そのターミナル３０の金属端子のバネ圧を発生させて携帯用電子機器側の給電部を有する電子回路４０と接触結合させている。
【００１４】
しかしながら、これらのスピーカをセットに取り付ける時に、スピーカの押さえ込み寸法を大きく設定すると、ターミナル３０のストッパー３０ａを変形させてしまい、ターミナル３０の金属端子のバネ圧の可逆限界値を超えてしまうことがある。
【００１５】
さらに、これらの携帯電話等の電子機器を誤って落下させてしまうと、過大な衝撃力によりターミナル３０のストッパー３０ａが潰れてしまい、ターミナル３０の金属端子のバネ圧の可逆限界値を超えてしまうことがある。これは、ストッパー３０ａも同質の金属端子で構成されているためバネ圧を有しているが、このストッパー３０ａもバネ圧の可逆限界値を超えてしまうことにより、永久変形を来すためである。
【００１６】
このようになると、ターミナル３０およびストッパー３０ａのバネ圧が減少してしまうことから、セット給電部との接触結合が不安定になり、セットに衝撃がかかったり、振動したりした時に接触不良を発生し、信号がとぎれてしまうという問題を抱えるものであった。
【００１７】
上述の課題は、ターミナル３０にストッパー３０ａを形成したタイプのみならず、樹脂フレームの射出成形時において、樹脂によりストッパーを一体化成形したタイプのものにおいても発生する課題であった。このタイプのものは、衝撃により樹脂ストッパーが破壊され、ターミナルの金属端子のバネ圧の可逆限界値を超えてしまうことにより発生する。
【００１８】
以上の理由から、今後はセットに衝撃がかかったり、振動したりしてもスピーカの信号がとぎれてしまうことのないようにターミナル３０のバネ圧が減少しない構成にすることが課題であった。
【００１９】
本発明は、上記課題を解決するもので、ターミナルのバネ圧の減少を防止して、スピーカへの安定した信号供給を実現できる優れたスピーカを提供するものである。
【００２０】
また、上述の内容は、携帯用電子機器に搭載される電子部品のうち、金属端子のバネ圧を発生させて、携帯用電子機器側の給電部と接触結合させているタイプのものは全て包含され、当例に挙げた電気音響変換器のみに限定されるものではない。
【課題を解決するための手段】
【００２１】
上記目的を達成するために本発明は、この金属板の折り曲げが金属材料の可逆限界値を超えない範囲にとどまるように、ストッパーの強化を図ったものである。
【００２２】
すなわち、ターミナルのストッパーを、ターミナルであるシート状の金属板を折り曲げ加工して形成したり、樹脂により形成したりという、加圧変形や衝撃力に対して弱い材料から形成するのではなく、衝撃力に対して強い材料で、衝撃力に対して強い形状に形成する構成としている。
【００２３】
すなわち、このストッパーを、バネ端子を有する電子部品自体に設けるのではなく、携帯用電子機器に搭載されている電子回路の少なくとも一部でストッパーを形成するとともに、このストッパーを高さ調整し、ターミナルの折り曲げ範囲を制御する構成としている。
【００２４】
この構成により、ストッパーは、形状的に小型の電子部品自体に設ける必要はなく、形状的に大型で、設定位置としての自由度の高い電子回路の一部で形成することができ、ストッパーとしての強化を図ることができる。さらに、加圧変形や衝撃力に対して、略直角形状に力を受けるため、変形に対して強い抗力を有し、強い衝撃耐性を有する。
【００２５】
よって、ターミナルの変形に対して、ストッパー自体の変形や破壊を発生することなくその機能を果たすことができるため、スピーカを携帯電話等の電子機器に取り付ける時に、スピーカの押さえ込み寸法を大きく設定したり、携帯電話等の電子機器を誤って落下させ、ターミナルに過大な衝撃力が加わっても、ストッパーが変形したり、潰れてしまうことがなく、ターミナルの金属端子のバネ圧の可逆限界値を超えてしまうことがなくなり、ターミナルのバネ圧が減少してしまうことがない。
【００２６】
このため、ターミナルは常時、強いバネ圧を維持することができ、セット給電部との接触結合が安定化し、セットに衝撃がかかったり、振動したりした時でも、接触不良を発生することがないため、信号がとぎれることなく安定化する。
【００２７】
従って、携帯用電子機器の信頼性の向上を図ることができる。
【発明の効果】
【００２８】
以上のように本発明は、携帯用電子機器に搭載されている電子回路の少なくとも一部でストッパーを形成するとともに、このストッパーにより高さ調整し、ターミナルの折り曲げ範囲を制御する構成としている。
【００２９】
この構成により、ストッパーは、形状的に小型の電子部品自体に設ける必要はなく、形状的に大型で、設定位置としての自由度の高い電子回路の一部で形成することができ、ストッパーとしての強化を図ることができる。さらに、加圧変形や衝撃力に対して、略直角形状に力を受けるため、変形に対して強い抗力を有し、強い衝撃耐性を有する。
【００３０】
よって、ターミナルの変形に対して、ストッパー自体の変形や破壊を発生することなくその機能を果たすことができ、ターミナルの金属端子のバネ圧の可逆限界値を超えてしまうことがなくなり、ターミナルは常時、強いバネ圧を維持することができる。
【００３１】
以上のように、電子機器の給電部との接触結合が安定化し、電子機器に衝撃がかかったり、振動したりした時でも、接触不良を発生することがないため、信号がとぎれることなく安定化する。従って、携帯電話等の電子機器の信頼性や品質の向上を図ることができる。
【００３２】
さらに、ストッパーは、形状的に小型の電子部品自体に設ける必要がないため、電子部品は、本来の必要機能に集中して開発が可能となり、さらなる性能向上や小型化を図ることができる。
【００３３】
また、電子回路の一部で、ストッパーの役目を代用させて構成しているため、別体としての部品を追加する必要もなく、部品点数の削減も図ることができ、これによりコストの低減化も実現することができる。
【００３４】
よって本発明は安定した接触結合を実現できる優れた携帯用電子機器を提供することができ、その工業的価値は非常に大なるものである。
【発明を実施するための最良の形態】
【００３５】
以下、本発明の実施の形態について図面を用いて説明する。
【００３６】
（実施の形態１）
本発明は、携帯用電子機器に搭載される電子部品のうち、金属端子のバネ圧を発生させて、携帯用電子機器側の給電部と接触結合させているタイプのものは全て適用することができる。
【００３７】
この中で特に、電子部品である電気音響変換器を、携帯用電子機器である携帯電話に搭載した例について説明するが、これに限定されるものではない。
【００３８】
以下、実施の形態１を用いて、本発明の特に請求項１から請求項５および請求項７から請求項８に記載の発明について説明する。
【００３９】
図１および図２は、本発明の一実施形態の携帯用電子機器である携帯電話を示したものである。図１は本発明の一実施形態の携帯電話の断面図であり、図２は図１におけるターミナルがストッパーの保護により下死点に達した状態の断面図である。
【００４０】
図１および図２に示すように、この携帯電話８０の構成としては、スピーカ３５と電子回路４０と液晶等の表示モジュール６０等の各部品やモジュール等を外装ケース７０の内部に搭載して携帯電話８０の要部を構成している。そして、スピーカ３５のターミナル３０と電子回路４０とをバネ圧をかけながら接触給電させてスピーカ３５を動作させている。ここで、この電子回路４０には、この電子回路４０に搭載されている電子部品５０の電子回路４０の回路基板に半田付けされた端子部を、あらかじめ長さ設定してストッパー４１ａと４１ｂを形成している。
【００４１】
この構成とすることにより、図２に示すようなスピーカ３５を携帯電話８０に取り付ける時に、スピーカ３５の押さえ込み寸法を大きく設定したり、携帯電話８０を誤って落下させ、ターミナル３０に過大な衝撃力が加わっても、ストッパー４１ａと４１ｂの効果によりターミナル３０が永久変形したり、潰れてしまうことがなくなる。
【００４２】
ここで、このストッパー４１ａと４１ｂの高さは、ターミナル３０の折り曲げ範囲制御を行うためのストッパーとしての高さを設定されているため、ターミナル３０の保護が実現できる。
【００４３】
このストッパー４１ａと４１ｂの材料としては、金属材料により形成されていることが望ましい。この理由としては、落下衝撃等による過大な力が加わっても、折れたり破損してしまうことなく、多数回の落下衝撃等に耐えられ、かつ、耐熱衝撃や耐薬品性等の環境耐性に優れているためである。また、金属材料でなくとも、上記の性能を満足可能な材料であれば使用できる。
【００４４】
さらに、このストッパーには、補強リブが設けられていることが望ましい。この理由としては、落下衝撃等による過大な力が加わっても、補強リブによる効果で、衝撃耐性がさらに向上し、ターミナル３０の金属端子のバネ圧の可逆限界値を超えてしまうことがなく、ターミナル３０を確実に保護することができるためである。
【００４５】
よって、ターミナル３０の金属端子のバネ圧の可逆限界値を超えてしまうことがなくなり、ターミナル３０のバネ圧が減少してしまうことがないため、ターミナル３０は常時、強いバネ圧を維持することができ、携帯電話８０の電子回路４０の給電部との接触結合が安定化し、携帯電話８０に衝撃がかかったり、振動したりした時でも、接触不良を発生することがないため、信号がとぎれることなく安定化させることができる。よって、携帯電話等の電子機器の信頼性や品質の向上を図ることができる。
【００４６】
以上のように電子回路４０は、本来の目的と、ターミナル３０のストッパーとしての両方の作用効果を発揮することができ、その価値は高い。特に、このストッパーとしての作用効果は、外的衝撃力に対して、略直角状に力を受けるため、その衝撃耐性は向上する。従って、本来の目的との共用化が図れることで、部品点数の削減も実施でき、これによりコストの低減化も実現することができる。
【００４７】
以上は、電子回路４０に搭載されている電子部品５０の端子部を利用して、ストッパーとしての役目を代替させているが、この方法に限定されることなく、電子部品５０の本体部にて代替させても良い。この場合、電子部品５０の種類としては、抵抗やコイル、コンデンサ等のチップ部品や、ＩＣ、ＬＳＩ等の集積回路部品で、特に、圧縮耐性や衝撃耐性に強いものが望ましい。
【００４８】
この構成により、スピーカの携帯電話等の電子機器への取り付け時には、ターミナル３０がある程度曲げられて、携帯電話等の電子機器側の給電部である電子回路に適正なバネ圧がかかった状態で維持される。そして、スピーカを強く押さえつけて取り付けを実施しても、ストッパーが当たり、ターミナル３０はそれ以上動かなくなる。
【００４９】
また、携帯電話等の電子機器を誤って落下させ、ターミナル３０に過大な衝撃力が加わっても、ストッパーの効果により、金属材料の可逆限界値を超える変形を発生したり、潰れてしまうことがなく、ターミナル３０の金属端子のバネ圧の可逆限界値を超えてしまうことがなくなり、ターミナル３０のバネ圧が減少してしまうことがない。
【００５０】
このため、ターミナル３０は常時、強いバネ圧を維持することができ、電子機器の給電部との接触結合が安定化し、電子機器に衝撃がかかったり、振動したりした時でも、接触不良を発生することがないため、信号がとぎれることなく安定化する。
【００５１】
また、前述したストッパーの受け部について、以下説明する。このストッパーの受け部としては、前述の図２に示すように、バネ端子を有する電子部品である電気音響変換器自体としている。この構成とすることで、多くの内蔵部品を搭載した携帯電話の構成部品の中で、バネ端子を有する電気音響変換器自体とすることで、バネ圧の可逆限界値を見極める上で、精度高くストッパーの高さを設定することができる。
【００５２】
これは、ストッパーの高さを設定する上で、構成部品の寸法精度や、その生産上の組立精度を最小限に設定することができるためである。
【００５３】
また、今回の場合は、ストッパー４１ａとストッパー４１ｂの２つを設けている。そして、ストッパー４１ａの受け部は、電子部品である電気音響変換器のフレームとし、ストッパー４１ｂの受け部は、同じく電気音響変換器の磁気回路としている。
【００５４】
このように受け部をフレームとした場合が、より精度高くストッパーの高さを設定することができる。この理由としては、ターミナル３０の設置基準点が、フレームとした場合がほとんどであるためである。これは、樹脂フレームにより、ターミナル３０をインサート成形していることに起因する。
【００５５】
よって、フレームは樹脂である場合が多く、金属材料に比べて、衝撃耐性に劣るため、衝撃耐性に強い金属材料である磁気回路にも、ストッパー４１ｂの受け部として構成している。この構成により、ストッパーの受け部をフレームと磁気回路の２箇所としていることから、ストッパーの高さ精度向上と衝撃耐性向上の両立を図ることができる。
【００５６】
また、使用する携帯用電子機器によっては、要求される信頼性レベルが異なるため、前記ストッパーを１箇所にする等、その状況やレベルに応じて適宜選択が可能である。以上の理由より、携帯用電子機器の信頼性の向上を図ることができる。
【００５７】
（実施の形態２）
以下、実施の形態２を用いて、本発明の特に請求項６に記載の発明について説明する。
【００５８】
図３は、本発明の一実施形態のスピーカの断面図を示したものである。
【００５９】
実施の形態１との違いについてのみ説明する。図３に示すように、ストッパー４１ｃおよび４１ｄは、電子回路の回路基板に金属材料からなるピン状のストッパーが植設されて形成されている。
【００６０】
そして、このストッパー４１ｃおよび４１ｄは、電子部品以外の構成部品を、そのストッパーの受け部としている。すなわち、ストッパー４１ｃの受け部は、携帯電話の外装ケース７０であり、ストッパー４１ｄの受け部は、電子部品以外の構成部品である。
【００６１】
この構成により、電子部品の衝撃耐性が不十分である場合は、外装ケース７０や他の構成部品のうち、衝撃耐性に優れている部品を選択して受け部とすることで、信頼性や安全性をさらに向上させることができる。従って、携帯電話等の電子機器の信頼性と安全性のさらなる向上を図ることができる。
【産業上の利用可能性】
【００６２】
本発明にかかる携帯用電子機器は、信頼性や品質さらには安全性の向上化が必要な映像音響機器や情報通信機器、ゲーム機器等の携帯用電子機器に適用できる。
【図面の簡単な説明】
【００６３】
【図１】本発明の一実施の形態における携帯用電子機器の要部断面図
【図２】本発明の一実施の形態における携帯用電子機器の要部断面図
【図３】本発明の一実施の形態における携帯用電子機器の要部断面図
【図４】従来の携帯用電子機器の要部断面図
【図５】従来の携帯用電子機器の要部断面図
【符号の説明】
【００６４】
３０  ターミナル
３０ａ  ストッパー
３５  スピーカ
４０  電子回路
４１ａ  ストッパー
４１ｂ  ストッパー
４１ｃ  ストッパー
４１ｄ  ストッパー
５０  電子部品
６０  表示モジュール
７０  外装ケース
８０  携帯電話
【図１】
2005333421.tif 000003
【図２】
2005333421.tif 000004
【図３】
2005333421.tif 000005
【図４】
2005333421.tif 000006
【図５】
2005333421.tif 000007